(57)【要約】      （修正有）【課題】男性が放尿（立尿）する際尿水が便器内溜水といっしょにはね反り便器及び床などに飛散するのを防止するための方法を提供する。【解決手段】放尿時便座を持ち上げると既設のウォシュレット（登録商標）システムを使いウォシュレット（登録商標）ノズル又は新設のノズルより便器内へシャワー状の水を噴出又は放尿時便座を持ち上げると既設の尻乾燥システムエヤーを便器溜水部位にエヤー穴を設けここからエヤーを噴出して溜水にアワを発生させる又は便器内溜水を極力少なくする又は便器内へ放尿あて板を設け便座が下がっている時は便座裏へはりつき状態のものが便座を上げると便器内へ可動して放尿位置に下がる放尿あて板７を設ける又は放尿が当る位置便器形状を放尿あて板のように平にして放尿時はね返らないよう造る又は単独及び効果的に組合わせて便器システムとして放尿時尿の飛散防止をする。【選択図】図４
2015155633.tif 000002
【特許請求の範囲】
【請求項１】
便器内溜水に向け既設のウォシュレッノズル又はそれにかわるノズルを設け既設ウォシュレットシステムを応用して便座を上げると便器内溜水に向けシャワ水を噴出して放尿時の尿水はね返り飛散を防止させることを特徴とする尿水飛散防止便器である
【請求項２】
便器内溜水部位便器にエヤー穴を設け便器既設の尻乾燥システムのエヤーをそのエヤー穴に導き放尿時便座を上げるとエヤーを噴出させて便器内溜水にアワを発生させ尿水の飛散を防止させることを特徴とする、尿水飛散防止便器である
【請求項３】
便器内溜水を極力少くして放尿時溜水を尿水のはね返り飛散を防止することを特徴とする尿水飛散防止便器である
【請求項４】
放尿する際便器の上ブタ及び便座を上へ持ち上げると便器内に設けた放尿あて板が便座裏へ密着状態でおさまっていた状態から便座を上げるのに反して便座のつけ根部分の回転運動をギヤーなとを介して設けた放尿あて板に逆回転に伝えて便器内に下がりこれに放尿することで尿の飛散を防止することを特徴とする尿飛散防止便器である
【請求項５】
便器内の形状を放尿時尿水の当る部位を平たくして垂直より少しねかせた６０°〜９０°以内に最適にしてこれに放尿することで尿水の飛散を防止することを特徴とする尿水飛散防止便器である
【請求項６】
上記請求項１〜５を単独又は最適組合せ又はすべてを組合せた放尿時の尿水飛散防止を特徴とする尿水飛散防止便器である
【発明の詳細な説明】
【技術分野】
【０００１】この発明は男性が放尿（立尿）の際便器及び便器内溜水と共に尿水がはね返り便器及び床、マット等に飛散を防止するため防尿する際便器内下に向けシャワー水を発しはね返りを防止又便座を持ち上げると防尿あて板が便器内に降りて又は防尿あて板と同じような便器内形状にする
【背景技術】
【０００２】従来便器は便器内に溜水がありこれに向けて男性は防尿（立尿）していたそのため溜水と共に尿水が便器や床などに飛散していた、その対策は色々な方法で特許がなされているが仕様がややこしい、コストがかかる方法であった
【先行技術文献】
【０００３】
【特許文献】
【特許文献】１．  特許公開番号  ２０１３−１２６５２４  ２．  ２０１３−３４８３８  ３．  ２０１２−２５５３２７  ４．  ２０１２−１７６２３４  ５．  ２０１２−１９２５  ６．  ２０１１−８３５８０  ７．  ２０１１−１２４１０  ８．  ２０１０−２００８００  ９．  ２０１０−１９４２８５  １０．  ２０１０−３５９９９  １１．  ２００５−２６４７０００  １２．  ２００５−６８９８  １３．  ２００４−２８５６３２  １４．  ２００４−１４１３５３  １５．  ２００１−９０１４３  １６．  １１−２３６７２２  １７．  １１−１８１８５３  １．  実用新案  ３１７００３号  ２．  〃  ３１５０５９５号  ３．  ３１４１４９６号  ４．  ３１０５９５４号
【発明の概要】
【発明が解決しようとする課題】
【０００４】これはつぎのような欠点があった
従来男性が防尿する際（立尿）便器内に溜った水と共に尿水が便器内よりはね返り便器や床に飛散し掃除が大変であった  又色々な特許が公開されているが仕様が複雑且つコスト高で掃除なとのメンテナンスに手間がかかる等問題がある
本発明は以上のような欠点をなくすためのものである
【課題を解決するための手段】
【０００５】１．男性が放尿（立尿）する際便器の上ブタ及び便座を上へ持ち上げると既設のウォシュレットノズル又はそれにかわるノズル（新設）よりシャワー水を自動的に便器内溜水に向けシャワー水を噴出し尿水のはね返り飛散を防止する、便座を閉める（下げる）とシャワー水が自動的停止する  ―――――技術的には既設のウォシュレットシステムを応用する  図１
２．男性が放尿（立尿）する際便器の上ブタ及び便座を上へ持ち上げると便器内溜水部位にエャー吹出し穴を設けここから溜水内エヤー発生アワが出来るこのアワにより放尿水のはね返りをかんわさせ尿水はね返り飛散を防止する  ―――――技術的な方法は既設の尻乾燥システムのエヤーを応用する  図２
３．便器内の溜水の水量を極力少なくする事により尿水のはね返り飛散を防止する  図３
４．男性が放尿（立尿）する際便器の上ブタ及び便座を持ち上げると便器内に設けた可動式放尿あて板が便座を上げるのに反して便座裏に密着状態の放尿あて板が便器内へ回転しながら下りこれに放尿する事によって尿水の飛散が防止される便座を下げると便座を上げるのと反対に便座側へ回転して便座へはりつくように上がる  図４
５．便器内形状を放尿が当る部位を平らにその角度を６０°〜９０°の放尿時尿水飛散防止に最適角度に立った形状にする  図５
６．上記を効果的に組合せたシステム又はすべてを組合せた便器にすることで尿尿飛散を防止する
【発明の効果】
【０００６】男性の防尿（立尿）時における尿水や便器内の溜水が便器や床やマットに飛散する事を防止することが出来て掃除が楽になり且つ清潔が保たれる
【図面の簡単な説明】
【０００７】
【図１】男性が放尿する際ウォシュレットノズルより便器内下に向けシャワー水を噴出するものである
【図２】男性が放尿する際便器溜水部位に設けたエヤー穴よりエヤーを噴出溜水でアワを発生させるものである
【図３】便器内溜水を極力少くしたものである
【図４】便器に可動式の放尿あて板設置
【図５】便器内面形状を平で垂直に近い形状にしたものである
【発明を実施するための形態】
【０００８】本発明を実施するため形態について説明する
・放尿時既設のウォッシュレットシステムを応用してウォシュレットノズルより便器内下に向けシワ水を噴出させる
又既設の尻乾燥時のエヤーを便器溜水部位に設けたエヤー吹き出し穴よりエヤーを噴出し溜水にアワを発生させる
又溜水の水量を極力少くする
又便座を持ち上げると逆に反転して便器内に下がる放尿当て板を設ける
更には便器内形状を放尿当て板のように垂直で平らな形状にする
以上を単独の又は効果的に組合せ又はすべてを一つの便器システムとして尿の飛散防止する
【符号の説明】
【０００９】１．便器            ４．ウォシュレットノズル    ７．可動式放尿あて板
２．便器上ブタ      ５．溜水内エヤー穴          ８．便器内面形状
３．便座．          ６．溜水
【図１】
2015155633.tif 000003
【図２】
2015155633.tif 000004
【図３】
2015155633.tif 000005
【図４】
2015155633.tif 000006
【図５】
2015155633.tif 000007